(57)【要約】      （修正有）【課題】表示部において相対的に輝度の相違が生じても、焼付けの発生を回避できる表示装置を提供する。【解決手段】表示部内に配置される複数の画素に独立して信号が入力される第１電極と基準信号を入力する共通第２電極とを有し、共通第２電極を電気的に分離させて表示部を少なくとも第１領域と第２領域に分け、第１領域における第２電極からの電流によって得られた第１領域の第１平均輝度情報の値に応じてピーク強調基準電圧を生成して第１領域における第２電極に印加する手段と、第２領域における第２電極からの電流によって得られたの平均輝度情報と、第１領域における平均輝度情報とを比較し、第２平均輝度情報値が第１平均輝度情報値よりも小さい場合にピーク強調基準電圧を選択し、第２平均輝度情報値が第１平均輝度情報値よりも大きい場合にピーク強調基準電圧よりも大きな電圧の補助基準電圧を選択し第２領域における第２電極に印加する手段を備える。【選択図】図１
2006078582.tif 000002
【特許請求の範囲】
【請求項１】
表示部内に配置される複数の画素を有し、これら各画素には独立して信号が入力される第１電極と該信号に対して基準となる信号を入力する共通の第２電極とを有するものであって、
前記共通の第２電極を電気的に分離させることによって前記表示部を少なくとも第１領域と第２領域に分け、
前記第１領域における第２電極からの電流によって該第１領域の第１平均輝度情報を得る手段と、この平均輝度情報の値に応じたピーク強調基準電圧を生成し該第１領域における第２電極に印加する手段と、
前記第２領域における第２電極からの電流によって該第２領域の第２平均輝度情報を得る手段と、この平均輝度情報と前記第１の領域における前記平均輝度情報とを比較する手段と、
該比較によって、第２平均輝度情報の値が第１平均輝度情報の値よりも小さい場合に前記ピーク強調基準電圧を選択し、第２平均輝度情報の値が第１平均輝度情報の値よりも大きい場合に該ピーク強調基準電圧よりも大きな電圧を有する補助基準電圧を選択する手段と、
該選択された電圧を該第２領域における第２電極に印加する手段を備えることを特徴とする表示装置。
【請求項２】
第２平均輝度情報の値と第１平均輝度情報の値の比較において、第２平均輝度情報の値と第１平均輝度情報の値の差が、前記ピーク強調基準電圧の最小値から最大値までの変動する範囲の電圧値の１４％ないし２０％の範囲内である場合に、
第２平均輝度情報の値が第１平均輝度情報の値よりも小さいとすることを特徴とする請求項１に記載の表示装置。
【請求項３】
ピーク強調基準電圧は、第１領域において得られる第１平均輝度情報に対応する電圧を基準電圧に加算して得られることを特徴とする請求項１に記載の表示装置。
【請求項４】
補助基準電圧は、各画素の第１電極に電圧を供給する発光電源部において得られる分圧を基準電圧に加算して得られることを特徴とする請求項１に記載の表示装置。
【請求項５】
各領域における平均輝度情報は、当該領域の第２電極の面積に応じて反比例する増幅率を有する差動増幅器の出力値によって得られることを特徴とする請求項１に記載の表示装置。
【請求項６】
前記第１領域は表示部の中央に位置づけられていることを特徴とする請求項１に記載の表示装置。
【請求項７】
表示部内に配置される複数の画素を有し、これら各画素には独立して信号が入力される第１電極と該信号に対して基準となる信号を入力する共通の第２電極と前記第１電極と第２電極との間に流れる電流を制御する第３電極を有するものであって、
前記共通の第２電極を電気的に分離させることによって前記表示部を少なくとも第１領域と第２領域に分け、
前記第１領域における第２電極からの電流によって該第１領域の第１平均輝度情報を得、この第１平均輝度情報の値に応じたピーク強調基準電圧を生成するとともに、該第２電極に基準電圧を印加する手段と、
前記第２領域における第２電極からの電流によって該第２領域の第２平均輝度情報を得、この第２平均輝度情報と前記第１平均輝度情報とを比較する手段と、
該比較によって、第２平均輝度情報の値が第１平均輝度情報の値よりも小さい場合に前記ピーク強調基準電圧を選択し、第２平均輝度情報の値が第１平均輝度情報の値よりも大きい場合に該ピーク強調基準電圧よりも大きな電圧を有する補助基準電圧を選択する手段と、
前記第１平均輝度情報の値に応じて生成されたピーク強調基準電圧を第１領域の各画素を駆動する際にその第１電極あるいは第３電極に印加する電圧に加算するとともに、前記選択によって選択されたピーク強調基準電圧あるいは補助基準電圧のいずれかの電圧を第２領域の各画素を駆動する際にその第１電極あるいは第３電極に印加する電圧に加算する手段を備えることを特徴とする表示装置。
【請求項８】
第２平均輝度情報の値と第１平均輝度情報の値の比較において、第２平均輝度情報の値と第１平均輝度情報の値の差が、前記第１領域における第１平均輝度情報の最小値から最大値までの変動する範囲の電圧値の１４％ないし２０％の範囲内である場合に、
第２平均輝度情報の値が第１平均輝度情報の値よりも小さいとすることを特徴とする請求項７に記載の表示装置。
【請求項９】
ピーク強調基準電圧は、第１領域において得られる第１平均輝度情報に対応する電圧を基準電圧に加算して得られることを特徴とする請求項７に記載の表示装置。
【請求項１０】
補助基準電圧は、各画素の第１電極に電圧を供給する発光電源部において得られる分圧を基準電圧に加算して得られることを特徴とする請求項７に記載の表示装置。
【請求項１１】
各領域における平均輝度情報は、当該領域の第２電極の面積に応じて反比例する増幅率を有する差動増幅器の出力値によって得られることを特徴とする請求項７に記載の表示装置。
【請求項１２】
前記第１領域は表示部の中央に位置づけられていることを特徴とする請求項７に記載の表示装置。
【請求項１３】
各画素の第１電極は、表示部のライン毎に共通に接続され、その駆動回路によって走査されるように構成され、
第１平均輝度情報の値に応じて生成されたピーク強調基準電圧の第１領域の各画素を駆動する際のその第１電極あるいは第３電極に印加する電圧への加算、および前記選択によって選択されたピーク強調基準電圧あるいは補助基準電圧のいずれかの電圧の第２領域の各画素を駆動する際のその第１電極あるいは第３電極に印加する電圧への加算は、
前記駆動回路からの走査のタイミングに応じてなされることを特徴とする請求項７に記載の表示装置。
【発明の詳細な説明】
【技術分野】
【０００１】
本発明は表示装置に関する。
【背景技術】
【０００２】
たとえば有機ＥＬ（エレクトロルミネッセンス）表示装置は、各画素に備えられる有機ＥＬ素子に独立に電流を流すことにより、該有機ＥＬ表示素子を発光させるようになっており、その発光輝度は該電流量にほぼ対応するようになっている。
そして、有機ＥＬ素子を長時間発光させた場合、その劣化が進行し、その発光輝度は低下してしまうという不都合が生じる。
【０００３】
これを各画素の集合である表示部に画像を表示した場合に、その画像が表示輝度の少ないいわゆる固定パターンであり、それを長時間表示し続けるといわゆる焼付けを生じさせ易くなる。
【０００４】
このため、有機ＥＬ表示装置の各有機ＥＬ素子を流れる電流の総量を測定することにより表示部の平均輝度を得、該平均輝度の高い場合においては通常よりも実際の表示輝度を落とすべく、有機ＥＬ素子に印加する電圧を制御したものが知られている。
【０００５】
白い部分の多い画像を表示するときのように画面が全体的に明るい場合には、画面全体の表示輝度を下げてもあまり表示品位に影響しないが、黒い部分の多い画像を表示するときのように画面全体が概ね暗い場合は明るい部分の表示輝度を落とすと表示品位に影響してしまうことに基づくものである。
このような技術は下記文献に開示されている。
【０００６】
【特許文献１】特開２００３−３３０４２１号公報
【発明の開示】
【発明が解決しようとする課題】
【０００７】
しかし、このような構成からなる有機ＥＬ表示装置において、たとえば表示部の中央の大部分から外れた他の領域にアイコン等のいわゆる固定パターン（表示輝度の変動が少ないパターン）が表示されるものに適用させた場合、この領域に及んでまでも輝度を強調する場合があり、この部分の焼付けが憂慮されることになる。
本発明は、このような事情に基づいてなされたものであり、その目的は、表示部において相対的に輝度の相違が生じても、表示部全体として焼付けの生じる憂えを回避できる表示装置を提供することにある。
【課題を解決するための手段】
【０００８】
本願において開示される発明のうち、代表的なものの概要を簡単に説明すれば、以下のとおりである。
【０００９】
（１）
本発明による表示装置は、たとえば、表示部内に配置される複数の画素を有し、これら各画素には独立して信号が入力される第１電極と該信号に対して基準となる信号を入力する共通の第２電極とを有するものであって、
前記共通の第２電極を電気的に分離させることによって前記表示部を少なくとも第１領域と第２領域に分け、
前記第１領域における第２電極からの電流によって該第１領域の第１平均輝度情報を得る手段と、この平均輝度情報の値に応じたピーク強調基準電圧を生成し該第１領域における第２電極に印加する手段と、
前記第２領域における第２電極からの電流によって該第２領域の第２平均輝度情報を得る手段と、この平均輝度情報と前記第１の領域における前記平均輝度情報とを比較する手段と、
該比較によって、第２平均輝度情報の値が第１平均輝度情報の値よりも小さい場合に前記ピーク強調基準電圧を選択し、第２平均輝度情報の値が第１平均輝度情報の値よりも大きい場合に該ピーク強調基準電圧よりも大きな電圧を有する補助基準電圧を選択する手段と、
該選択された電圧を該第２領域における第２電極に印加する手段を備えることを特徴とする。
【００１０】
（２）
本発明による表示装置は、たとえば、（１）の構成を前提とし、第２平均輝度情報の値と第１平均輝度情報の値の比較において、第２平均輝度情報の値と第１平均輝度情報の値の差が、前記ピーク強調基準電圧の最小値から最大値までの変動する範囲の電圧値の１４％ないし２０％の範囲内である場合に、
第２平均輝度情報の値が第１平均輝度情報の値よりも小さいとすることを特徴とする。
【００１１】
（３）
本発明による表示装置は、たとえば、（１）の構成を前提とし、ピーク強調基準電圧は、第１領域において得られる第１平均輝度情報に対応する電圧を基準電圧に加算して得られることを特徴とする。
【００１２】
（４）
本発明による表示装置は、たとえば、（１）の構成を前提とし、補助基準電圧は、各画素の第１電極に電圧を供給する発光電源部において得られる分圧を基準電圧に加算して得られることを特徴とする請求項１に記載の表示装置。
【００１３】
（５）
本発明による表示装置は、たとえば、（１）の構成を前提とし、各領域における平均輝度情報は、当該領域の第２電極の面積に応じて反比例する増幅率を有する差動増幅器の出力値によって得られることを特徴とする。
【００１４】
（６）
本発明による表示装置は、たとえば、（１）の構成を前提とし、前記第１領域は表示部の中央に位置づけられていることを特徴とする。
【００１５】
（７）
本発明による表示装置は、たとえば、表示部内に配置される複数の画素を有し、これら各画素には独立して信号が入力される第１電極と該信号に対して基準となる信号を入力する共通の第２電極と前記第１電極と第２電極との間に流れる電流を制御する第３電極を有するものであって、
前記共通の第２電極を電気的に分離させることによって前記表示部を少なくとも第１領域と第２領域に分け、
前記第１領域における第２電極からの電流によって該第１領域の第１平均輝度情報を得、この第１平均輝度情報の値に応じたピーク強調基準電圧を生成するとともに、該第２電極に基準電圧を印加する手段と、
前記第２領域における第２電極からの電流によって該第２領域の第２平均輝度情報を得、この第２平均輝度情報と前記第１平均輝度情報とを比較する手段と、
該比較によって、第２平均輝度情報の値が第１平均輝度情報の値よりも小さい場合に前記ピーク強調基準電圧を選択し、第２平均輝度情報の値が第１平均輝度情報の値よりも大きい場合に該ピーク強調基準電圧よりも大きな電圧を有する補助基準電圧を選択する手段と、
前記第１平均輝度情報の値に応じて生成されたピーク強調基準電圧を第１領域の各画素を駆動する際にその第１電極あるいは第３電極に印加する電圧に加算するとともに、  前記選択によって選択されたピーク強調基準電圧あるいは補助基準電圧のいずれかの電圧を第２領域の各画素を駆動する際にその第１電極あるいは第３電極に印加する電圧に加算する手段を備えることを特徴とする。
【００１６】
（８）
本発明による表示装置は、たとえば、（７）の構成を前提にし、第２平均輝度情報の値と第１平均輝度情報の値の比較において、第２平均輝度情報の値と第１平均輝度情報の値の差が、前記第１領域における第１平均輝度情報の最小値から最大値までの変動する範囲の電圧値の１４％ないし２０％の範囲内である場合に、
第２平均輝度情報の値が第１平均輝度情報の値よりも小さいとすることを特徴とする。
【００１７】
（９）
本発明による表示装置は、たとえば、（７）の構成を前提にし、ピーク強調基準電圧は、第１領域において得られる第１平均輝度情報に対応する電圧を基準電圧に加算して得られることを特徴とする。
【００１８】
（１０）
本発明による表示装置は、たとえば、（７）の構成を前提にし、補助基準電圧は、各画素の第１電極に電圧を供給する発光電源部において得られる分圧を基準電圧に加算して得られることを特徴とする。
【００１９】
（１１）
本発明による表示装置は、たとえば、（７）の構成を前提にし、各領域における平均輝度情報は、当該領域の第２電極の面積に応じて反比例する増幅率を有する差動増幅器の出力値によって得られることを特徴とする。
【００２０】
（１２）
本発明による表示装置は、たとえば、（７）の構成を前提にし、前記第１領域は表示部の中央に位置づけられていることを特徴とする。
【００２１】
（１３）
本発明による表示装置は、たとえば、（７）の構成を前提にし、各画素の第１電極は、表示部のライン毎に共通に接続され、その駆動回路によって走査されるように構成され、
第１平均輝度情報の値に応じて生成されたピーク強調基準電圧の第１領域の各画素を駆動する際のその第１電極あるいは第３電極に印加する電圧への加算、および前記選択によって選択されたピーク強調基準電圧あるいは補助基準電圧のいずれかの電圧の第２領域の各画素を駆動する際のその第１電極あるいは第３電極に印加する電圧への加算は、
前記駆動回路からの走査のタイミングに応じてなされることを特徴とする請求項７に記載の表示装置。
なお、本発明は以上の構成に限定されず、本発明の技術思想を逸脱しない範囲で種々の変更が可能である。
【発明を実施するための最良の形態】
【００２２】
以下、図面を用いて本発明による表示装置の実施例を説明する。
図２は、本発明による表示装置の一実施例を示す平面図である。同図に示す表示装置はその僅かな周辺を除く中央部において表示部ＡＲを有する。
この表示部ＡＲにはたとえばマトリックス状に配列された画素を有し、そのｘ方向（行方向）およびｙ方向（列方向）にそれぞれ２４０×３２０の画素が備えられている。
【００２３】
これらの各画素は、行方向に並設される各画素（画素群）が列方向に沿って順次に選択され、それら選択のタイミングにそれぞれ合わせて当該画素群の各画素に画素情報が入力されることによって、駆動されるようになっている。いわゆるアクティブ・マトリックス方式が採用されている。
【００２４】
ここで、前記画素群の選択は、各画素に備えられたスイッチング素子のうち当該画素群を構成する各画素のそれを共通にオンする走査信号の供給によってなされ、該走査信号は表示部ＡＲの外方に設けられた走査信号駆動回路Ｖによって生成されるようになっている。
【００２５】
また、前記画素情報の供給は、オンされた前記各スイッチング素子のそれぞれを介して当該画素へ映像信号の供給によってなされ、該映像信号は表示部ＡＲの外方に設けられたデータ信号駆動回路Ｈｅによって生成されるようになっている。
【００２６】
なお、この映像信号はそれ自体画素の発光層を発光させるだけの電位を有さないため、図示しない回路（図６にて説明）によって、表示部ＡＲの外方に設けた発光電源回路ＬＰＣから該映像信号に対応した電源信号を導くようになっている。
【００２７】
各画素には発光層を挟持する一対の電極を有し、それら各電極を通して該発光層に前記電源信号を流すことによって、該発光層が発光するようになっている。さらに詳述すると、前記電源信号が供給される電極を陽極とし、該電源信号に対して基準となる電位が印加される電極を陰極とするもので、該陽極から陰極への発光層に流れる電流に応じた発光量で該発光層が発光するようになっている。
【００２８】
また、前記表示部ＡＲは、そのｙ方向にたとえば３区分された第１表示部ＡＲ１、第２表示部ＡＲ２、および第３表示部ＡＲ３によって構成されている。なお、これら各表示部ＡＲ１、ＡＲ２、ＡＲ３の区分は、目視的に観察した場合においてそれを個別に認識し得るものではなく、電気的な構成においてそれらが相違しているにすぎないことを意味する。
すなわち、各表示部ＡＲ１、ＡＲ２、ＡＲ３において、それらの各画素の陰極に供給される基準信号（映像信号に対して）が異なるように制御されるように構成されている。
【００２９】
具体的には、第１表示部ＡＲ１において、それらの画素の陰極が互いに共通化され、この陰極には表示部ＡＲの外方に設けられた基準電位回路ＢＶＣ１から電位が供給されるようになっている。また、第２表示部ＡＲ２において、それらの画素の陰極が互いに共通化され、この陰極には表示部ＡＲの外方に設けられた基準電位回路ＢＶＣ２から電位が供給されるようになっている。さらに、第３表示部ＡＲ３において、それらの画素の陰極が互いに共通化され、この陰極には表示部ＡＲの外方に設けられた基準電位回路ＢＶＣ３から電位が供給されるようになっている。
【００３０】
換言すれば、各表示部ＡＲ１、ＡＲ２、ＡＲ３の境界において画素の陰極が電気的に分離され、これら分離された各陰極には独立して生成される基準信号が供給されるように構成されている。
【００３１】
なお、前記各表示部ＡＲ１、ＡＲ２、ＡＲ３はたとえば携帯電話の表示装置の実状に合わせ、たとえば、第１表示部ＡＲ１は１行から５４行の範囲で、第２表示部ＡＲ２は５５行から３０２行の範囲で、第３表示部ＡＲ３は３０３行から３２０行の範囲を占め、真ん中の第２領域ＡＲ２が主表示部として構成されるようになっている。
【００３２】
図３は、マトリックス状に配置された各画素のうちの一の画素における等価回路の一実施例を信号線とともに描いた図である。
図３において、ゲート信号線ＧＬからの走査信号の供給によってオンされる第１薄膜トランジスタ（コントロールトランジスタ）ＴＦＴ１があり、そのタイミングに合わせてドレイン信号線ＤＬからの映像信号が該薄膜トランジスタＴＦＴ１を介して容量素子Ｃ１をなす一対の電極の一方の電極に到達するようになっている。前記容量素子Ｃ１はデータ記憶用のそれである。
【００３３】
一方、有機ＥＬ素子ＬＥＤの輝度は、これに電流を供給する電流供給線ＣＲＬに設けられた第２薄膜トランジスタ（ドライブトランジスタ）ＴＦＴ２によって制御されるようになっている。
【００３４】
第２薄膜トランジスタＴＦＴ２のゲート電極は前記容量素子Ｃ１の他方の電極に接続され、これにより、ドレイン信号線ＤＬからの映像信号に応じて容量素子Ｃ１に保持された電圧に応じた電流が電流供給線ＣＲＬから第２薄膜トランジスタＴＦＴ２を通して、有機ＥＬ素子ＬＥＤの発光層に書き込まれる。
【００３５】
また、この実施例では、リセット線ＣＮＬとそれにより制御される第３薄膜トランジスタＴＦＴ３が設けられ、該第３薄膜トランジスタＴＦＴ３は前記容量素子Ｃ１の他端と第２トランジスタＴＦＴ２と有機ＥＬ素子ＬＥＤの接続点との間に介在されている。
なお、この回路における第２トランジスタＴＦＴ２と有機ＥＬ素子ＬＥＤは該有機ＥＬ素子ＬＥＤが負荷としても働くインバータ回路ＩＮＶとして機能するようになっている。
【００３６】
図４は、上述した画素における等価回路の動作を示すタイミングチャートである。
ゲート信号線ＧＬに供給される走査信号がＶｏｆｆからＶｏｎとなり、この状態が１水平期間、すなわち１行の画素群が選択される期間の間保持される。この間に、第１薄膜トランジスタＴＦＴはオン状態を維持する。
【００３７】
この走査信号のＶｏｆｆからＶｏｎへの立ち上がりの際に、リセット線ＣＮＬに供給される信号がＶｏｆｆからＶｏｎと立ち上がり、該信号がＶｏｎの間に第２薄膜トランジスタＴＦＴ２はオン状態となる。
【００３８】
一方、ドレイン信号線ＤＬからの映像信号は第１薄膜トランジスタＴＦＴ１を介してそれに接続される容量素子Ｃ１の一方の電極に蓄積され、その他方の電極側のノード・イン（Ｖｉｎ）およびノード・アウト（Ｖｏｕｔ）において、映像信号に応じた電位となる。
【００３９】
リセット線ＣＮＬに供給されている信号がＶｏｎからＶｏｆｆになることにより、第２薄膜トランジスタＴＦＴ２はオフになり、この段階で、ノード・アウト（Ｖｏｕｔ）は前記映像信号に応じた電位に保持し、この電位がインバータ回路ＩＮＶの動作しきいとなり、該インバータ回路ＩＮＶはオフ状態に保たれる。
【００４０】
各画素の駆動期間では、ドレイン信号線ＤＬに三角波信号からなる駆動信号が供給されるため、これにより、ノード・イン（Ｖｉｎ）の電位が徐々に下降する。
【００４１】
そして、ノード・イン（Ｖｉｎ）の電位が映像信号に応じたノード・アウト（Ｖｏｕｔ）における前記電位を下回ると、インバータ回路ＩＮＶを構成する第２薄膜トランジスタＴＦＴ２のゲートに印加される電圧は、この第２薄膜トランジスタＴＦＴ２をターン・オンし、電源供給線ＣＲＬから有機ＥＬ素子ＬＥＤへ電流が流れるようになる。
【００４２】
その後、ノード・イン（Ｖｉｎ）の電位がノード・アウト（Ｖｏｕｔ）の電位を超えると、前記第２薄膜トランジスタＴＦＴ２はターン・オフし、有機ＥＬ素子への電流の供給が停止される。
【００４３】
なお、図８は、図４のドレイン信号線ＤＬからの映像信号（ＥＬ駆動信号）と対応させて描いたもので、輝度の大小がインバータ回路ＩＮＶのオン期間に依存することを示したものである。
【００４４】
図１は、図２に示した表示部ＡＲにおける第１表示部ＡＲ１、第２表示部ＡＲ２、第３表示部ＡＲ３にそれぞれ基準信号を供給する基準電位回路ＢＶＣ１、ＢＶＣ２、ＢＶＣ３の構成を示した図である。
【００４５】
まず、表示部ＡＲのうち主表示部となる第２表示部ＡＲ２について説明する。発光電源部ＬＰＣからの電源（たとえば１５Ｖ）からの電流は第２表示部ＡＲ２の各画素の陽極から発光層ＬＥＤを通して第２陰極に至るようになる。この第２陰極は上述したように第２表示部ＡＲ２の各画素において共通となっている。
【００４６】
該第２陰極は基準電位回路ＢＶＣ２に接続され、該第２陰極からの電流は抵抗Ｒ２に流れるようになっており、該抵抗Ｒ２の両端には電圧降下によって電位差が生じるようになっている。
【００４７】
該抵抗Ｒ２の両端の各電圧は差動アンプＤＡ２の各端子に印加されることによって該差動アンプＤＡ２の出力として第２表示部ＡＲ２の平均輝度情報が得られるようになっている。
【００４８】
ここで、差動アンプＤＡ２と同様の機能を有する差動アンプは、後述する基準電位回路ＢＶＣ２、ＢＶＣ３にも備えられるが、該差動アンプＤＡ２はこれら基準電位回路ＢＶＣ２、ＢＶＣ３の差動アンプＤＡよりも増幅率が小さく構成されている。表示部ＡＲ２は表示部ＡＲ１、ＡＲ３よりも画素数が多くその基準電位回路ＢＶＣ２に取り込まれる電流が大きいからである。換言すれば、各差動アンプＤＡ２の増幅率は当該表示部ＡＲの第２陰極の面積に対応し、該面積に対して反比例する関係を有する。
【００４９】
この平均輝度情報は、後述の基準電位回路ＢＶＣ１およびＢＶＣ３のそれぞれに出力されるようになっているとともに、基準電位回路ＢＶＣ２内のアナログアダー回路ＡＡに入力されるようになっている。
【００５０】
このアナログアダー回路ＡＡには基準電圧（たとえば０Ｖ）が供給され、この基準電圧に前記平均輝度情報に対応する電圧が加算された値としてのピーク強調基準電圧（たとえば０〜３Ｖ）が出力されるようになっている。
【００５１】
このピーク強調基準電圧は、バッファ回路ＢＭ２を介して前記差動アンプＤＡ２の抵抗Ｒ２を介して表示部ＡＲ２の第２陰極に印加されるようになっている。
【００５２】
これにより、第２表示部ＡＲ２に表示される画像の平均輝度が高いときにはそれに応じてピーク強調基準電圧の値が大きくなり、該第２表示部ＡＲ２の各画素の有機ＥＬ素子に印加される電圧を小さくすることができ、逆に、平均輝度が低いときにはそれに応じてピーク強調基準電圧の値が小さくなり、各画素の有機ＥＬ素子に印加される電圧を大きくすることができる。
【００５３】
上述したように、白い部分の多い画像を表示するときのように画面が全体的に明るい場合には、画面全体の表示輝度を下げてもあまり表示品位に影響しないが、黒い部分の多い画像を表示するときのように画面全体が概ね暗い場合は明るい部分の表示輝度を落とすと表示品位に影響してしまうことに基づくものである。
【００５４】
次に、第１表示部ＡＲ１において、発光電源部ＬＰＣからの電源からの電流は第１表示部ＡＲ１の各画素の陽極から発光層ＬＥＤを通して第１陰極に至るようになる。この第１陰極は上述したように第１表示部ＡＲ１の各画素において共通となっている。
【００５５】
該第１陰極は基準電位回路ＢＶＣ１に接続され、該第２陰極からの電流は抵抗Ｒ１に流れるようになっており、該抵抗Ｒ１の両端には電圧降下によって電位差が生じるようになっている。
【００５６】
該抵抗Ｒ１の両端の各電圧は差動アンプＤＡ１の各端子に印加されることによって該差動アンプＤＡ１の出力として第１表示部ＡＲ１の平均輝度情報が得られるようになっている。
【００５７】
該差動アンプＤＡ１は、上述したように、基準電位回路ＢＶＣ２のそれよりも増幅率が大きく構成されている。第１表示部ＡＲ１は第１表示部ＡＲ２よりも画素数が少なくその基準電位回路ＢＶＣ１に取り込まれる電圧が小さいからである。
【００５８】
第１差動アンプＤＡからの平均輝度情報は、比較器ＣＯＭＰ１の一端子に入力され、該比較器ＣＯＭＰ１の他端子に入力されている前記基準電位回路ＢＶＣ２からの平均輝度情報と比較され、その比較結果を示す情報が選択回路に入力されるようになっている。
【００５９】
ここで、この比較器ＣＯＭＰ１は、当該平均輝度情報が基準電位回路ＶＢＣ２からの平均輝度情報に対し充分に大きければ、たとえば“１”の論理値からなる情報が出力され、ほぼ等しければ、“０”の論理値からなる情報が出力され、さらに、充分小さければ、“０”の論理値からなる情報が出力される。
【００６０】
当該平均輝度情報が基準電位回路ＶＢＣ２からの平均輝度情報に対しほぼ等しい場合とは、たとえば比較されるべく入力電圧の差にたとえば０．５Ｖ以内にある場合を示している。すなわち、当該平均輝度情報が基準電位回路ＶＢＣ２からの平均輝度情報に対し０．５Ｖ以上大きければ“１”の論理値からなる情報が出力され、０．５Ｖ以内であれば“０”の論理値からなる情報が出力される。
【００６１】
前記０．５Ｖは、後述のピーク強調基準電圧が０Ｖ（最小値）〜３Ｖ（最大値）まで変動し、その範囲の電圧値３Ｖの約１７％の値として設定したものである。これは厳密には輝度差があるにも拘わらず、観察者にとって目視上輝度がほぼ等しいとして認識できる範囲に対応するものである。
そして、比較器ＣＯＭＰ１は、当該平均輝度情報が基準電位回路ＶＢＣ２からの平均輝度情報に対し、さらに０．５Ｖ以上小さければ“０”の論理値からなる情報が出力される。
【００６２】
比較器ＣＯＭＰ１からの情報が入力される前記選択回路ＳＬＴ１は、前記情報の他に、基準電位回路ＢＶＣ１からのピーク強調基準電圧と補助基準電圧生成回路ＳＳＣからの補助基準電圧が供給されており、前記情報に応じて、ピーク強調基準電圧と補助基準電圧のうちいずれかが出力されるようになっている。
【００６３】
たとえば、前記情報の論理値が“１”の場合に補助基準電圧が選択され、“０”の場合にピーク強調基準電圧が選択されるようになっている。
このことは、第２表示部ＡＲ２の平均輝度情報に対し第１表示部ＡＲ１の平均輝度情報が大きければ補助基準電圧が選択され、小さければピーク強調基準電圧が選択されることを意味する。
【００６４】
なお、前記補助基準電圧生成回路ＳＳＣは、前記基準電圧（たとえば、０Ｖ）が供給され、この基準電圧とたとえば前記発光電源部ＬＰＣの電圧を分圧して得られた出力電圧を加算した電圧を前記補助基準電圧として出力するようになっている。この補助基準電圧はたとえばピーク強調基準電圧の最大値と同じ値として設定されている。
【００６５】
また、前記選択回路ＳＬＴ１から出力されるピーク強調基準電圧あるいは補助基準電圧はバッファ回路ＢＭ１を介して第１表示部ＡＲ１の第１陰極に印加されるようになっている。
【００６６】
なお、第３表示部ＡＲ３において、その構成は第１表示部ＡＲ１の場合と同じであるが、繰り返し説明する。
発光電源部ＬＰＣからの電源からの電流は第３表示部ＡＲ３の各画素の陽極から発光層ＬＥＤを通して第３陰極に至るようになる。この第３陰極は上述したように第３表示部ＡＲ３の各画素において共通となっている。
【００６７】
該第３陰極は基準電位回路ＢＶＣ３に接続され、該第３陰極からの電流は抵抗Ｒ３に流れるようになっており、該抵抗Ｒ３の両端には電圧降下によって電位差が生じるようになっている。
【００６８】
該抵抗Ｒ３の両端の各電圧は差動アンプＤＡ３の各端子に印加されることによって該差動アンプＤＡ３の出力として第３表示部ＡＲ３の平均輝度情報が得られるようになっている。
【００６９】
第３差動アンプＤＡ３からの平均輝度情報は、比較器ＣＯＭＰ３の一端子に入力され、該比較器ＣＯＭＰ３の他端子に入力されている前記基準電位回路ＢＶＣ２からの平均輝度情報と比較され、その比較結果を示す情報が選択回路に入力されるようになっている。
【００７０】
ここで、この比較器ＣＯＭＰ３は、当該平均輝度情報が基準電位回路ＶＢＣ２からの平均輝度情報に対し充分に大きければ、“１”の論理値からなる情報が出力され、ほぼ等しければ、“０”の論理値からなる情報が出力され、さらに、充分小さければ、“０”の論理値からなる情報が出力される。すなわち、基準電位回路ＢＶＣ１の比較器ＣＯＭＰ１と同様に、当該平均輝度情報が基準電位回路ＶＢＣ２からの平均輝度情報に対し０．５Ｖ以上大きければ“１”の論理値からなる情報が出力され、０．５Ｖ以内であれば“０”の論理値からなる情報が出力され、さらに、０．５Ｖ以上小さければ“０”の論理値からなる情報が出力される。
【００７１】
比較器ＣＯＭＰ３からの情報が入力される前記選択回路ＳＬＴ３は、前記情報の他に、基準電位回路ＢＶＣ１からのピーク強調基準電圧と前記補助基準電圧生成回路ＳＳＣからの補助基準電圧が供給されており、前記情報に応じて、ピーク強調基準電圧と補助基準電圧のうちいずれかが出力されるようになっている。
【００７２】
前記情報の論理値が“１”の場合に補助基準電圧が選択され、“０”の場合にピーク強調基準電圧が選択されるようになっている。
【００７３】
また、前記選択回路ＳＬＴ３から出力されるピーク強調基準電圧あるいは補助基準電圧はバッファ回路ＢＭ３を介して第３表示部ＡＲ３の第１陰極に印加されるようになっている。
【００７４】
図５（ａ）ないし（ｃ）は、上述した有機ＥＬ表示装置の表示の態様に応じてピーク強調基準電圧および補助基準電圧のいずれかが選択されるかを示した説明図である。なお、該有機ＥＬ表示装置の表示部の概観を図６に示している。同図において、符号（ａ）は第１表示部ＡＲ１、（ｂ）は第２表示部ＡＲ２、（ｃ）は第３表示部ＡＲ３を示している。
【００７５】
まず、図５（ａ）は、該有機ＥＬ表示装置の表示部ＡＲにおいて、その第１表示部ＡＲ１および第３表示部ＡＲ３にはたとえばＯＳのメニュー表示がなされるのに対し、第２表示部ＡＲ２にはたとえばウェブブラウザの内容のように黒字に白抜き表示がなされるような場合を示している。すなわち、第２表示部ＡＲ２には、比較的輝度が小さい表示がなされていることになる。
【００７６】
この場合、第２表示部ＡＲ２の各画素の第２陰極からの平均輝度情報からピーク強調基準電圧（Ｖ（ｃａｔｈ）２＝１Ｖ）が得られ、このピーク強調基準電圧が該第２陰極に印加されるとともに、第１表示部ＡＲ１および第３表示部ＡＲ３の各画素の陰極には補助基準電圧（Ｖ（ｃａｔｈ）１、Ｖ（ｃａｔｈ）３＝３Ｖ）が選択され、かつ印加されるようになる。
【００７７】
映像信号（電圧）に対する基準電圧として、Ｖ（ｃａｔｈ）１、Ｖ（ｃａｔｈ）３＞Ｖ（ｃａｔｈ）２の関係があることから、第１表示部ＡＲ１および第３表示部ＡＲ３は、第２表示部ＡＲ２の表示に要する輝度に対し、より低い輝度で表示されるようになる。
【００７８】
また、図５（ｂ）は、該有機ＥＬ表示装置の表示部ＡＲにおいて、その全域にわたって、すなわち、第１表示部ＡＲ１ないし第３表示部ＡＲ３にはたとえば花火の表示がなされるような場合を示している。
【００７９】
この場合、第２表示部ＡＲ２の各画素の第２陰極からの平均輝度情報からピーク強調基準電圧（Ｖ（ｃａｔｈ）２＝１Ｖ）が得られ、このピーク強調基準電圧が該第２陰極に印加される。そして、該平均輝度情報と第１表示部ＡＲ１および第３表示部ＡＲ３からの平均輝度情報がほぼ等しいことが検出され、これら第１表示部ＡＲ１および第３表示部ＡＲ３の陰極にもピーク強調基準電圧（Ｖ（ｃａｔｈ）２＝１Ｖ）が選択され、かつ印加されるようになる。
【００８０】
この場合、第２表示部ＡＲ２の平均輝度に対し第１表示部ＡＲ１の平均輝度あるいは第３表示部ＡＲ３の平均輝度の比較は、上述したように、それぞれの平均輝度に対応する電圧差が０．５Ｖ以内である場合に、第１表示部ＡＲ１ないし第３表示部ＡＲ３の各画素の輝度がほぼ等しいと判定され、上述した制御がなされる。
これにより、第１表示部ＡＲ１ないし第３表示部ＡＲ３は、それぞれ均等な輝度で表示されるようになる。
【００８１】
さらに、図５（ｃ）は、第１表示部ＡＲ１および第３表示部ＡＲ３にはたとえばＯＳのメニュー表示がなされるのに対し、第２表示部にはたとえばＥ−メールの内容のように白地に黒文字の表示がなされるような場合を示している。すなわち、第２表示部ＡＲ２には、比較的輝度が大きい表示がなされていることになる。
【００８２】
この場合、第２表示部ＡＲ２の各画素の陰極においても該ピーク基準電圧が印加されるようになるとともに、第１表示部ＡＲ１および第３表示部ＡＲ３の各画素の陰極にはピーク基準電圧（Ｖ（ｃａｔｈ）１、Ｖ（ｃａｔｈ）３＝３Ｖ）が選択され、かつ印加されるようになる。
この場合、各陰極に印加する電圧としては補助基準電圧（３Ｖ）を印加するようにしてもよいが、ピーク基準電圧が３Ｖあるいはこれに近い電圧となっていることから、図５（ｂ）の場合と同様に、ピーク基準電圧をそのまま用いるようにしている。
【００８３】
実施例２
図７に示す表示装置はいわゆるＦＥＤ（Field  Emission  Display）と称されるもので、このＦＥＤにおいて実施例１に示した効果と同様の効果をもたらすようにしたものである。
ここで、画素がマトリックス状に配置されたＦＥＤにおける各画素の構成は基本的には次に説明するようになっている。
【００８４】
減圧かつ不活性化された空間を有して互いに対向される各基板のうちの一方の基板の該空間側の面には、ｘ方向に並設される各画素に共通に形成された陰極と、ｙ方向に並設される各画素に共通に形成された制御電極とを備える。
【００８５】
陰極と制御電極とは層間絶縁膜を介して相互に絶縁され、当該画素における制御電極の中央はその下層の絶縁膜をも貫通する孔が形成され、この孔からは陰極の一部が露出されている。
【００８６】
露出された陰極の上面には電子が照射される導電材料が形成され、この導電材料からはこの導電材料（陰極）と前記制御電極との間の電位差ΔＶ１によって電子が放出されるようになっている。
【００８７】
一方、前記各基板のうち他方の基板の前記空間側の面には、その各画素に対応する箇所に蛍光膜（この箇所以外は遮光膜が形成されている）が形成され、さらに、該蛍光膜をも被って各画素に共通に形成された陽極（透明導電膜）が形成されている。
【００８８】
前記導電材料と陽極との間には電位差ΔＶ２（＞ΔＶ１）が生じており、該導電材料から放出された電子をこの陽極側に引き付け、前記蛍光体を発光させるようになっている。
前記電位差ΔＶ１が生じないときは、陰極と陽極の間に大きな電位差ΔＶ２が存在しても、これらが充分離れているため、導電材料からは電子は放出されない。
【００８９】
このことから、真空管と類似する作用をし、以下の説明では、各画素を真空管と同様の記号で表し、該真空管のプレートを陽極Ｐに、グリッドを制御電極Ｇに、カソードを陰極Ｋに対応づけている。
【００９０】
図７において、上記構成からなる各画素がマトリックス状に配置されて表示部ＡＲを構成し、この表示部ＡＲの外方には陰極駆動回路ＫＤおよび制御電極駆動回路ＧＤが配置されている。
【００９１】
陰極駆動回路ＫＤの各信号線Ｙ００１ないしＹ７６８はそれぞれ図中ｘ方向に配列される各画素の陰極Ｋに接続され、制御電極駆動回路ＧＤの各信号線Ｘ０００１ないしＸ３０７２はそれぞれ図中ｙ方向に配列される各画素の制御電極Ｇに接続されている。
【００９２】
そして、各画素の陽極Ｐは本来共通に接続されるのが通常であるが、第１表示部ＡＲ１のそれと第２表示部ＡＲ２のそれと第３表示部ＡＲ３のそれとは物理的に分離されて形成されている。換言すれば、第１表示部ＡＲ１の各画素の陽極Ｐ同士が共通に接続され、第２表示部ＡＲ２の各画素の陽極Ｐ同士が共通に接続され、第３表示部ＡＲ３の各画素の陽極Ｐ同士が共通に接続された構成となっている。
【００９３】
実施例１の場合と同様に、表示部ＡＲを区分けし、それぞれの表示部ＡＲ１、ＡＲ２、ＡＲ３に印加する陽極に流れる電流を検出せんとするものである。ここで、実施例１の場合と異なり、前記区分けにおいて、陽極Ｐを分離させているのは、上記画素が、陰極Ｋから電子を照射させ、その結果として陽極から陰極Ｋの方向に電流が流れる構成となっているからである。
【００９４】
なお、第１表示部ＡＲ１はたとえば１ラインから１２８ラインまで、第２表示部ＡＲ２は１２９ラインから７０４ラインまで、第３表示部ＡＲ３は７０５ラインから７６８ラインまでを確保している。
【００９５】
第１表示部ＡＲ１の陽極は陽極電位回路ＡＶＣ１に接続され、第２表示部ＡＲ２の陽極は陽極電位回路ＡＶＣ２に接続され、第３表示部ＡＲ３の陽極は陽極電位回路ＡＶＣ３に接続されている。
【００９６】
陽極電位回路ＡＶＣ１、陽極電位回路ＡＶＣ２、および陽極電位回路ＡＶＣ３のそれぞれの構成は、それによって各表示部ＡＲ１、ＡＲ２、ＡＲ３の平均輝度情報を得る部分、および、第２表示部ＡＲ２で得られた平均輝度情報が第１表示部ＡＲ１、第３表示部ＡＲ３のそれらと比較される部分において、実施例１に示した基準電位回路ＢＶＣ１、基準電位回路ＢＶＣ２、および基準電位回路ＢＶＣ１と同様となっている。このため、実施例１の場合と同機能を有する対応する部材には同符号を示して表している。
【００９７】
しかし、実施例１の場合と比較して異なる構成は、まず、第１表示部ＡＲ１の第１陽極、第２表示部ＡＲ２の第２陽極、第３表示部ＡＲ３の第３陽極には、基準電圧がそれぞれ差動アンプＤＡ１に接続される抵抗Ｒ１、差動アンプＤＡ２に接続される抵抗Ｒ２、差動アンプＤＡ３に接続される抵抗Ｒ３を介して印加されていることにある。
【００９８】
実施例１の場合と異なり、輝度の補正を行うのにたとえば各画素の制御電極Ｇに印加する電圧を可変せんとするためである。
そして、アナログアダー制御回路ＡＡＣが備えられ、このアナログアダー制御回路ＡＡＣには以下に示す三つの信号が入力されるようになっている。
【００９９】
その一つは、陽極基準回路ＡＶＣ２において、そこで得られる平均輝度情報に前記基準電圧がアナログアダー回路ＡＡによって加算された信号となっている。この信号は実施例１に示したピーク強調基準電圧に相当するもので、以下ピーク強調基準電圧と称する。
【０１００】
二つ目の信号としては、陽極基準回路ＡＶＣ２で得られた平均輝度情報と補助基準電圧生成回路ＳＳＣから得られる信号のうち選択回路ＳＬＴ１によって選択されたいずれかの信号となっている。補助基準電圧生成回路ＳＳＣから得られる信号は実施例１に示した補助基準電圧に相当するものであり、以下補助基準電圧と称する。
【０１０１】
ここで、選択回路ＡＬＴ１には比較器ＣＯＭＰ１からの出力が入力されるようになっており、実施例１に示した信号と同様となっている。すなわち、比較器ＣＯＭＰ１において、当該平均輝度情報が基準電位回路ＶＢＣ２からの平均輝度情報に対し０．５Ｖ以上大きければ“１”の論理値からなる情報が出力され、０．５Ｖ以内であれば“０”の論理値からなる情報が出力され、さらに、０．５Ｖ以上小さければ“０”の論理値からなる情報が出力される。
【０１０２】
前記選択回路ＳＬＴ１においては、それに入力される前記情報の論理値が“１”の場合に補助基準電圧が選択され、“０”の場合にピーク強調基準電圧が選択されるようになっている。
【０１０３】
三つ目の信号としては、陽極基準回路ＡＶＣ２で得られた平均輝度情報と補助基準電圧生成回路ＳＳＣから得られる信号のうち選択回路ＳＬＴ３によって選択されたいずれかの信号となっている。補助基準電圧生成回路ＳＳＣから得られる信号は補助基準電圧である。
【０１０４】
ここで、選択回路ＳＬＴ３には比較器ＣＯＭＰ３からの出力が入力されるようになっており、実施例１に示した信号と同様となっている。すなわち、比較器ＣＯＭＰ３において、当該平均輝度情報が基準電位回路ＶＢＣ２からの平均輝度情報に対し０．５Ｖ以上大きければ“１”の論理値からなる情報が出力され、０．５Ｖ以内であれば“０”の論理値からなる情報が出力され、さらに、０．５Ｖ以上小さければ“０”の論理値からなる情報が出力される。
【０１０５】
前記選択回路ＳＬＴ３においては、それに入力される前記情報の論理値が“１”の場合に補助基準電圧が選択され、“０”の場合にピーク強調基準電圧が選択されるようになっている。
【０１０６】
また、前記アナログアダー制御回路ＡＡＣには、前記陰極駆動回路ＫＤから陰極電圧出力タイミング信号が入力され、この信号の入力に対応させて前記３つの信号に対応する信号をそれぞれ出力させるようになっている。
【０１０７】
すなわち、陰極駆動回路ＫＤによって、第１表示部ＡＲ１を走査している際には、陽極基準回路ＡＶＣ１の選択回路ＳＬＴ１から得られた信号に対応する信号を出力させ、第２表示部ＡＲ２を走査している際には、陽極基準回路ＡＶＣ２のアナログアダー回路ＡＡから得られた信号に対応する信号を出力させ、第３表示部ＡＲ３を走査している際には、陽極基準回路ＡＶＣ３の選択回路ＳＬＴ３から得られた信号に対応する信号を出力させるようになっている。
【０１０８】
そして、アナログアダー制御回路ＡＡＣからの出力はアナログアダー回路ＡＡＡに入力されるようになっている。このアナログアダー回路ＡＡＡは、制御電極駆動回路ＧＤの表示部ＡＲへの各出力に対してアナログアダー制御回路ＡＡＣからの出力を加算するものとなっている。
【０１０９】
すなわち、第１表示部ＡＲ１への制御電極駆動回路ＧＤからの信号は陽極基準回路ＡＶＣ１で得られた信号によって電圧制御され、第２表示部ＡＲ２への制御電極駆動回路ＧＤからの信号は陽極基準回路ＡＶＣ２で得られた信号によって電圧制御され、第３表示部ＡＲ３への制御電極駆動回路ＧＤからの信号は陽極基準回路ＡＶＣ３で得られた信号によって電圧制御されるようになっている。
【０１１０】
このことから、アナログアダー制御回路ＡＡＣは、制御電極駆動回路ＧＤからの信号に限定されることはなく、陰極駆動回路ＫＤからの信号を上述したと同様にして制御するようにしてもよいことはいうまでもない。
これにより、本実施例における表示装置においても、実施例１に示したと同様の効果を得るようにすることができる。
【０１１１】
上述した各実施例は、たとえば携帯電話に用いられる表示装置を一例として挙げたものであるが、これに限定されないことはいうまでもない。他の一般の表示装置においてもそのまま適用することができるからである。
上述した各実施例はそれぞれ単独に、あるいは組み合わせて用いても良い。それぞれの実施例での効果を単独であるいは相乗して奏することができるからである。
【図面の簡単な説明】
【０１１２】
【図１】本発明による表示装置の一実施例を示す構成図である。
【図２】本発明による表示装置の概略の一実施例を示す外観図である。
【図３】本発明による表示装置の画素の構成の一実施例を示す回路図である。
【図４】図３に示す回路図の動作を示すタイムチャートである。
【図５】本発明による表示装置の表示態様をピーク強調基準電圧および補助基準電圧との関係で示した説明図である。
【図６】本発明による表示装置の概略の一実施例をその画像とともに示す外観図である。
【図７】本発明による表示装置の他の実施例を示す構成図である。
【図８】本発明による表示装置の画素においてその輝度の大小を駆動信号との関係で示した図である。
【符号の説明】
【０１１３】
ＬＰＣ……発光電源部、Ｖ……走査信号駆動回路、Ｈｅ……信号駆動回路、ＡＲ１……第１表示部、ＡＲ２……第２表示部、ＡＲ３……第３表示部、ＢＶＣ１、ＢＶＣ２、ＢＶＣ３基準電位回路、Ｒ１、Ｒ２、Ｒ３……抵抗、ＤＡ１、ＤＡ２、ＤＡ３……差動アンプ、ＡＡ……アナログアダー回路、ＳＳＣ……補助基準電圧生成回路、ＣＯＭＰ１、ＣＯＭＰ３……比較器、ＳＬＴ１、ＳＬＴ３……選択回路、ＢＭ１、ＢＭ２、ＢＭ３……バッファ回路、ＫＤ……陰極駆動回路、ＧＤ……制御電極駆動回路、ＡＡＣ……アナログアダー制御回路、ＡＡＡ……アナログアダー回路。
【図１】
2006078582.tif 000003
【図２】
2006078582.tif 000004
【図３】
2006078582.tif 000005
【図４】
2006078582.tif 000006
【図５】
2006078582.tif 000007
【図６】
2006078582.tif 000008
【図７】
2006078582.tif 000009
【図８】
2006078582.tif 000010